【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
撮像素子と、前記撮像素子に像を形成するためのズームレンズを有する撮像装置において、前記ズームレンズは、物体側から像側へ順に、正の屈折力の第１レンズ群、負の屈折力の第２レンズ群、正の屈折力の第３レンズ群、１以上のレンズ群を含む後続レンズ群を有しており、ズーミングに際して前記第１レンズ群は不動であり、前記第３レンズ群は物体側へ凸状の軌跡で移動し、前記第３レンズ群を含む３以上のレンズ群と前記撮像素子が移動し、広角端におけるレンズ全長よりも望遠端におけるレンズ全長が長いことを特徴とする撮像装置。
【請求項２】
前記ズームレンズはズーミングに際して移動する開口絞りを有し、最も物体側のレンズ面から前記開口絞りまでの距離は広角端に比べて望遠端の方が長いことを特徴とする請求項１に記載の撮像装置。
【請求項３】
前記第１、第３レンズ群の焦点距離を各々ｆ１、ｆ３とするとき、
０．２５＜ｆ３／ｆ１＜０．５０
なる条件を満足することを特徴とする請求項１又は２に記載の撮像装置。
【請求項４】
前記第２、第３レンズ群の焦点距離を各々ｆ２、ｆ３とするとき、
０．３３＜｜ｆ２／ｆ３｜＜０．６４
なる条件を満足することを特徴とする請求項１乃至３のいずれか１項に記載の撮像装置。
【請求項５】
ズーミングに際して、前記後続レンズ群を構成するレンズ群のうち最も像面側に配置されたレンズ群と撮像素子との間隔が変化することを特徴とする請求項１乃至４のいずれか１項に記載の撮像装置。
【請求項６】
前記後続レンズ群は正の屈折力の第４レンズ群より構成されており、ズーミングに際して、前記第２レンズ群、第３レンズ群、第４レンズ群が移動することを特徴とする請求項１乃至５のいずれか１項に記載の撮像装置。
【請求項７】
前記後続レンズ群は、物体側から像側に順に、負の屈折力の第４レンズ群、正の屈折力の第５レンズ群で構成されており、ズーミングに際して前記第２レンズ群、第３レンズ群、第５レンズ群が移動することを特徴とする請求項１乃至５のいずれか１項に記載の撮像装置。
【手続補正２】
【補正対象書類名】明細書
【補正対象項目名】００１２
【補正方法】変更
【補正の内容】
【００１２】
本発明の撮像装置は、撮像素子と、前記撮像素子に像を形成するためのズームレンズを有する撮像装置において、前記ズームレンズは、物体側から像側へ順に、正の屈折力の第１レンズ群、負の屈折力の第２レンズ群、正の屈折力の第３レンズ群、１以上のレンズ群を含む後続レンズ群を有しており、ズーミングに際して前記第１レンズ群は不動であり、前記第３レンズ群は物体側へ凸状の軌跡で移動し、前記第３レンズ群を含む３以上のレンズ群と前記撮像素子が移動し、広角端におけるレンズ全長よりも望遠端におけるレンズ全長が長いことを特徴としている。
【手続補正３】
【補正対象書類名】明細書
【補正対象項目名】００２３
【補正方法】変更
【補正の内容】
【００２３】
本発明に係るズームレンズでは動画撮影に好適となる様にズーミングに際して第１レンズ群Ｌ１を固定としている。そして、広画角、高ズーム比に適した、ズームタイプとして物体側より像側へ順に正の屈折力の第１レンズ群Ｌ１、負の屈折力の第２レンズ群Ｌ２、正の屈折力の第３レンズ群Ｌ３、１以上のレンズ群を有する後群ＬＲより成る構成としている。ズーミングに際して第３レンズ群Ｌ３は物体側へ凸状の軌跡で移動する事で、中間の焦点距離（中間のズーム位置）における前玉位置での軸外光線の入射高さを低くさせ、前玉有効径の小型化を容易にしている。但し、第３レンズ群Ｌ３のズーミングの際の移動軌跡が規制される事となる為、第３レンズ群Ｌ３以外に、変倍に寄与するレンズ群、変倍時の像面湾曲の変動を補正するレンズ群を光軸方向に移動させている。また変倍に伴う像面変動に合わせて撮像素子Ｉを移動させている。各実施例のズームレンズは、全体で４つ以上のレンズ群を有すると共にズーミングの際に３つ以上のレンズ群と撮像素子Ｉを光軸方向に移動させている。また、レンズ全長（第１レンズ面から像面までの距離）を広角端に比べ望遠端で長くする事で短いレンズ全長で効率的な変倍を容易にしている。
【手続補正４】
【補正対象書類名】明細書
【補正対象項目名】００２６
【補正方法】変更
【補正の内容】
【００２６】
０．２５＜ｆ３／ｆ１＜０．５０・・・・・・（１）
０．３３＜｜ｆ２／ｆ３｜＜０．６４・・・・・・（２）
条件式（１）は第１レンズ群Ｌ１と第３レンズ群Ｌ３の焦点距離の比を規定したものである。条件式（１）の上限値を超えた場合、全系の屈折力の負担が第１レンズ群Ｌ１へ高まり、第１レンズ群Ｌ１で発生する諸収差、特に望遠端において軸上色収差を良好に補正する事が困難となる。逆に下限値を超えた場合、望遠端における全体の主点位置が像側へ移動する為にレンズ全長が長くなるので好ましくない。
【手続補正５】
【補正対象書類名】明細書
【補正対象項目名】００４０
【補正方法】変更
【補正の内容】
【００４０】
Ｘ=（Ｈ２／Ｒ）／［１＋｛１−（１＋Ｋ）（Ｈ／Ｒ）２｝１／２］＋Ａ４・Ｈ４＋Ａ５・Ｈ５＋Ａ６・Ｈ６＋Ａ７・Ｈ７＋Ａ８・Ｈ８＋Ａ９・Ｈ９＋Ａ１０・Ｈ１０
なお、各非球面係数における「ｅ±ＸＸ」は「×１０±ＸＸ」を意味している。また、前述の各条件式と数値実施例との関係を（表１）に示す。焦点距離、Ｆナンバー、画角はそれぞれ無限遠物体に焦点を合わせたときの値を表している。ＢＦは最終レンズ面から像面までの距離を空気換算した値である。最後の２つの面は、フィルター等のガラスブロックである。レンズ全長は第１レンズ面から最終レンズ面までの距離にバックフォーカスを加えたものである。
【手続補正６】
【補正対象書類名】明細書
【補正対象項目名】００４１
【補正方法】変更
【補正の内容】
【００４１】
数値実施例1
単位 mm
面データ
面番号       r        d      nd         νd
1         46.197    1.10   1.80518    25.4           
2         27.805    4.11   1.48749    70.2           
3       -639.098    0.20                             
4         26.373    2.76   1.60311    60.6           
5         87.627  (可変)                             
6         68.867    0.90   1.88300    40.8           
7          7.484    1.92                             
8         48.670    0.80   1.83400    37.2           
9         15.474    1.54                             
10        -21.083    0.80   1.74400    44.8           
11        152.156    0.99                             
12         23.465    1.64   1.92286    18.9           
13        -89.545  (可変)                             
14*         9.274    2.63   1.58313    59.4           
15*      -288.493    1.24                             
16(絞り)    ∞       3.52                             
17         78.525    0.80   1.84666    23.9           
18          8.159    0.40                             
19         11.203    1.78   1.80400    46.6           
20        -87.259  (可変)                             
21*        13.924    2.00   1.58313    59.4           
22        -96.643    0.70   1.92286    18.9           
23       12233.548  (可変)                             
24          ∞       2.38   1.51633    64.1           
25          ∞       1.63                             
像面        ∞   
非球面データ
第14面
K =-7.55754e-001  A 4= 2.19064e-005  A 6= 1.16938e-006  A 8=-1.86853e-008  
第15面
K =-1.70532e+003  A 4= 3.18065e-005  A 6= 9.73064e-007  A 8=-2.70362e-008  
第21面
K = 4.30952e+000  A 4=-2.39083e-004  A 6=-9.53736e-007  A 8=-1.17756e-007  
各種データ
ズーム比     13.72 
広角     中間     望遠
焦点距離       5.10    23.59    69.95  
Fナンバー      1.85     2.81     3.14  
半画角（度）  30.47     7.25     2.46  
像高           3.00     3.00     3.00  
レンズ全長    66.09    72.83    79.68  
BF             9.36    14.29     5.69  
d 5            1.25    19.28    28.61  
d13           23.09     4.87     1.06  
d20            2.56     4.56    14.49  
d23            6.16    11.09     2.49  
ズームレンズ群データ
群  始面    焦点距離  
1    1      43.98  
2    6      -8.28  
3   14      17.42  
4   21      25.99  
5   24       ∞    
【手続補正７】
【補正対象書類名】明細書
【補正対象項目名】００４２
【補正方法】変更
【補正の内容】
【００４２】
数値実施例2
単位 mm
面データ
面番号       r        d      nd         νd
1         55.253    1.75   2.00069    25.5           
2         39.845    6.20   1.49700    81.5           
3      -1552.738    0.20                             
4         42.719    3.75   1.60311    60.6           
5        133.123  (可変)                             
6         89.992    1.10   1.88300    40.8           
7         11.839    2.84                             
8         59.599    0.90   1.84666    23.9           
9         12.057    3.79                             
10        -23.709    0.80   1.83481    42.7           
11        200.118    0.10                             
12         29.455    3.00   1.92286    18.9           
13        -38.878  (可変)                             
14(絞り)    ∞     (可変)                             
15*        14.230    3.15   1.58313    59.4           
16*      -105.520    5.65                             
17         82.788    0.70   1.84666    23.9           
18         13.314    0.38                             
19         19.886    2.20   1.71300    53.9           
20        -33.781  (可変)                             
21          ∞       0.60                             
22          ∞       1.95                             
23        416.826    0.70   1.48749    70.2           
24         30.733  (可変)                             
25         16.298    3.25   1.71300    53.9           
26        -22.586    0.70   1.84666    23.9           
27       -339.548  (可変)                             
28          ∞       1.94   1.51633    64.1           
29          ∞       2.00                             
30          ∞       0.00                             
像面        ∞   
非球面データ
第15面
K =-6.90664e-001  
A 5=-3.93291e-008  A 7=-4.98565e-008  A 9=-4.26333e-010  
第16面
K =-2.19665e+002  
A 5= 6.85141e-007  A 7=-8.23653e-008  
各種データ
ズーム比     18.00 
広角     中間     望遠
焦点距離       4.64    38.45    83.57  
Fナンバー      1.85     2.65     2.88  
半画角（度）  36.78     5.16     2.38  
像高           3.47     3.47     3.47  
レンズ全長   105.66   112.97   118.47  
BF             7.39    12.16     8.15  
d 5            0.90    35.52    43.01  
d13           30.70     6.36     1.99  
d14           16.25     2.11     2.82  
d20            2.24     6.11     2.27  
d24            4.46     7.00    16.51  
d27            4.10     8.88     4.86  
ズームレンズ群データ
群  始面    焦点距離  
1    1      65.00  
2    6     -10.57  
3   14       ∞    
4   15      21.12  
5   21     -68.10  
6   25      24.65  
7   28       ∞    
【手続補正８】
【補正対象書類名】明細書
【補正対象項目名】００４３
【補正方法】変更
【補正の内容】
【００４３】
数値実施例3
単位 mm
面データ
面番号       r        d      nd         νd
1         54.640    1.80   2.00069    25.5           
2         34.577    6.89   1.49700    81.5           
3       -812.948    0.20                             
4         34.217    4.19   1.69680    55.5           
5        144.255  (可変)                             
6        122.143    1.00   1.69680    55.5           
7         12.086    2.31                             
8         35.693    0.80   1.69680    55.5           
9          8.726    3.65                             
10        -66.571    0.80   1.77250    49.6           
11         27.287    0.68                             
12         15.678    1.89   1.92286    18.9           
13         42.596  (可変)                             
14(絞り)    ∞       0.70                             
15          ∞     (可変)                             
16*        12.052    3.48   1.85996    40.3           
17*      -274.243    2.32                             
18        133.251    0.80   1.84666    23.9           
19          9.810    0.67                             
20         17.032    0.80   1.84666    23.9           
21         10.734    0.00                             
22         10.734    2.78   1.71300    53.9           
23        -57.402  (可変)                             
24          ∞     (可変)                             
25*        15.599    3.00   1.85996    40.3           
26        -28.000    0.70   1.92286    18.9           
27       -348.934  (可変)                             
28          ∞       2.38   1.51633    64.1           
29          ∞       1.63                             
像面        ∞   
非球面データ
第16面
K =-1.69151e-001  A 4=-1.86873e-005  A 6= 4.64592e-008  A 8= 4.26211e-011  
第17面
K = 3.77584e+002  A 4= 3.91154e-005  
第25面
K =-1.09690e+000  A 4= 2.87914e-005  A 6= 1.34795e-007  A 8=-9.47750e-010  
各種データ
ズーム比     15.00 
広角     中間     望遠
焦点距離       4.03    23.54    60.40  
Fナンバー      1.44     2.81     3.00  
半画角（度）  36.68     7.26     2.84  
像高           3.00     3.00     3.00  
レンズ全長    89.51    93.79    97.95  
BF             5.59     9.65     6.34  
d 5            0.67    24.00    31.14  
d13           20.38     5.44     2.49  
d15           15.07     3.52     2.49  
d23            1.82     4.96     1.82  
d24            6.52     6.75    14.22  
d27            2.39     6.45     3.14  
ズームレンズ群データ
群  始面    焦点距離  
1    1      50.39  
2    6      -8.26  
3   14       ∞    
4   16      18.99  
5   24       ∞    
6   25      18.04  
7   28       ∞    
【手続補正９】
【補正対象書類名】明細書
【補正対象項目名】００４４
【補正方法】変更
【補正の内容】
【００４４】
数値実施例4
単位 mm
面データ
面番号       r        d      nd         νd
1         25.484    1.10   1.84666    23.9           
2         17.456    3.70   1.77250    49.6           
3         94.999  (可変)                             
4         23.360    0.80   1.88300    40.8           
5          7.975    2.00                             
6         29.815    0.80   1.88300    40.8           
7          7.279    2.50                             
8        -36.049    0.80   1.70154    41.2           
9         43.357    0.58                             
10         14.511    1.60   1.92286    18.9           
11        110.900  (可変)                             
12*         8.082    2.00   1.58313    59.4           
13*       -34.575    2.01                             
14(絞り)    ∞       1.67                             
15        -13.537    0.60   1.84666    23.9           
16         11.671    0.10                             
17         22.475    1.80   1.80400    46.6           
18         -8.649  (可変)                             
19         10.694    1.31   1.51742    52.4           
20         22.250  (可変)                             
21          ∞       1.94   1.51633    64.1           
22          ∞       2.00                             
像面        ∞   
非球面データ
第12面
K =-2.39986e+000  A 4= 7.41739e-004  A 6= 1.38513e-005  A 8= 2.08760e-006  A10=
-3.31775e-008  
第13面
K =-7.59546e+001  A 4= 3.99860e-004  A 6= 3.09417e-005  A 8= 1.68894e-006  
各種データ
ズーム比      4.91 
広角     中間     望遠
焦点距離       5.15    15.15    25.30  
Fナンバー      2.88     4.39     5.14  
半画角（度）  36.94    14.34     8.71  
像高           3.88     3.88     3.88  
レンズ全長    49.63    55.48    64.97  
BF             6.61     9.66     6.03  
d 3            0.54     9.67    16.72  
d11           14.00     2.07     0.78  
d18            5.10    10.71    18.05  
d20            3.32     6.38     2.75  
ズームレンズ群データ
群  始面    焦点距離  
1    1      46.33  
2    4      -7.42  
3   12      12.51  
4   19      38.31  
5   21       ∞    
【手続補正１０】
【補正対象書類名】明細書
【補正対象項目名】００４５
【補正方法】変更
【補正の内容】
【００４５】
数値実施例5
単位 mm
面データ
面番号       r        d      nd         νd
1         39.659    1.10   1.84666    23.9           
2         23.546    3.90   1.59319    67.9           
3        159.156    0.15                             
4         20.614    2.92   1.71300    53.9           
5         51.116  (可変)                             
6         36.111    0.70   1.88300    40.8           
7          7.101    1.76                             
8         15.438    0.55   1.88300    40.8           
9          7.132    2.90                             
10        -14.390    0.55   1.69680    55.5           
11       -165.778    0.09                             
12         16.751    1.39   1.92286    18.9           
13       -519.915  (可変)                             
14(絞り)    ∞       0.50                             
15*         8.074    1.63   1.58313    59.4           
16*     -1504.407    0.22                             
17         12.968    1.70   1.65844    50.9           
18        -43.937    1.04                             
19         12.900    0.60   1.84666    23.9           
20          3.757    1.62   1.58144    40.8           
21          5.838  (可変)                             
22         11.766    2.51   1.80400    46.6           
23        -18.223    0.60   1.84666    23.9           
24        331.960  (可変)                             
25          ∞       0.80   1.51680    64.2           
26          ∞       1.00                             
像面        ∞   
非球面データ
第15面
K =-5.70826e-001  A 4=-2.07321e-004  A 6= 1.70493e-006  A 8=-2.62012e-007  A10=
-8.12818e-009  
第16面
K = 1.07092e+005  A 4= 9.23547e-005  A 6= 3.99186e-006  A 8=-5.54505e-007  A10=
2.19557e-009  
各種データ
ズーム比      9.78 
広角     中間     望遠
焦点距離       4.74    19.60    46.36  
Fナンバー      2.06     3.27     3.50  
半画角（度）  37.22    10.41     4.44  
像高           3.60     3.60     3.60  
レンズ全長    50.79    55.03    65.12  
BF             4.76     8.88     4.06  
d 5            0.66    14.25    19.65  
d13           15.25     2.78     1.29  
d21            3.68     2.69    13.67  
d24            3.23     7.35     2.53  
ズームレンズ群データ
群  始面    焦点距離  
1    1      35.83  
2    6      -6.69  
3   14      11.71  
4   22      15.63  
5   25       ∞